(57)【特許請求の範囲】
【請求項１】
被検体の周囲に配設され前記被検体に投与した放射性同位元素を含む薬剤より放射される放射線を検出する複数の検出器リングと、
前記検出器リングからの放射線の検出値を投影データとして記憶する計数回路と、
前記計数回路に記憶された投影データに基づいて、同時計数された一対の検出値のどちらか一方をＲ１座標、他方をＲ２座標として割り当てて加算し、座標変換する変換テーブル記憶部と、
前記Ｒ１座標、前記Ｒ２座標毎に前記検出値の総和値を読み出す手段と、
該読み出された検出値の総和値に基づく投影データの画素データのオーバーフローを補正する分周回路と、
前記Ｒ１座標と前記Ｒ２座標がマトリクス状に配置され、個々のマスには前記検出値の総和値を投影データとして、前記分周回路の出力に基づいて表示する表示手段と、
を備え、
前記表示手段は、さらに、表示された前記投影データに基づいて選択された所定領域の投影データをＲ１座標及びＲ２座標と対応づけて表示することを特徴とするポジトロンエミッションＣＴ装置。
【請求項２】
該選択された所定領域の投影データは、前記分周回路での分周は行なわれずに出力されることを特徴とする請求項１記載のポジトロンエミッションＣＴ装置。
【発明の詳細な説明】
【０００１】
【発明が属する技術分野】
本発明は、投影データを表示するポジトロンエミッションＣＴ装置（以下、「ＰＥＴ」と略記する）に係り、特に３次元投影データ収集法で多量に得られる投影データを効率的に表示するＰＥＴに関する。
【０００２】
【従来の技術】
従来のＰＥＴは、特開平７−２２９９６９号公報で開示されている。
【０００３】
上記公報に記載されているように、被検体の体軸方向において著しく高い分解能の投影データが得られるＰＥＴの開発が進んできているおり、前記投影データは１チャンネルの検出器リングのみならず複数チャンネルの検出器リング群のそれぞれの対向位置毎に生成されるので、従来の２次元の投影データの収集から３次元の投影データの収集までその利用が広がっている。
【０００４】
前記投影データは、前記検出器リング群のそれぞれの対向位置毎に生成されるため、投影データの数は検出器チャンネル数（例えば３２チャンネル）の２乗数となり、大量の投影データ（例えば１０２４個）を得ることとなる。
【０００５】
このように大量に得られた投影データを表示器に表示するためには、例えば、チャンネルの異なる投影データを順次に交代（以下、「スクロール」という）して前記表示器の画面上に表示させる、所謂スクロール表示がされている。
【０００６】
【発明が解決しようとする課題】
しかしながら、上記スクロール表示では、投影データの中で患部等の関心のある投影データを見つけるのに時間を要してしまうという問題があった。
【０００７】
本発明の目的は、関心のある投影データを迅速に見つけることのできるＰＥＴを提供することにある。
【０００８】
【課題を解決するための手段】
上記目的は、被検体の周囲に配設され前記被検体に投与した放射性同位元素を含む薬剤より放射される放射線を検出する複数の検出器リングと、前記検出器リングからの放射線の検出値を投影データとして記憶する計数回路と、前記計数回路に記憶された投影データに基づいて、同時計数された一対の検出値のどちらか一方をＲ１座標、他方をＲ２座標として割り当てて加算し、座標変換する変換テーブル記憶部と、前記Ｒ１座標、前記Ｒ２座標毎に前記検出値の総和値を読み出す手段と、該読み出された検出値の総和値に基づく投影データの画素データのオーバーフローを補正する分周回路と、前記Ｒ１座標と前記Ｒ２座標がマトリクス状に配置され、個々のマスには前記検出値の総和値を投影データとして、前記分周回路の出力に基づいて表示する表示手段と、を備え、前記表示手段は、さらに、表示された前記投影データに基づいて選択された所定領域の投影データをＲ１座標及びＲ２座標と対応づけて表示することを特徴とするポジトロンエミッションＣＴ装置によって達成される。
【０００９】
通常、正常部位の投影データと病変部位の投影データとが異なっているから、正常部位の中に有る病変部位の投影データを特徴部分として迅速に見つけることができる。
【００１０】
【発明の実施の形態】
本発明のＰＥＴの実施の一形態について、図面を用いて説明する。
【００１１】
図１は本発明のＰＥＴの実施の一形態を示すブロック図、図２は図１のモニタの表示で投影データを表示する一例を示す図、図３は図２の表示により選択された投影データを表示する一例を示す図である。
【００１２】
ＰＥＴは、放射線同位元素を含む薬剤を投与した被検体１内の放射線源より放射される放射線を検出する複数の検出器リング２ａ，２ｂ・・・と、これらの検出器リングからの放射線の検出値を投影データとして記憶する計数回路３ａ，３ｂ・・・と、計数回路３ａ，３ｂ・・・と接続され投影データを表示する際に座標変換する変換テーブル記憶部４と、変換テーブル記憶部４と接続され変換テーブル記憶部２から読み出す投影データのオーバーフローを補正する分周回路５と、分周回路５と接続され分周回路５の出力を記憶するメモリ回路６と、メモリ回路６と接続されメモリ回路６の出力を後段のモニタ８に表示するために所謂画像処理する画像処理装置７と、画像処理装置７と接続され画像処理装置７の出力を表示するモニタ８と、計数回路３ａ，３ｂ・・・乃至モニタ８の各要素と接続されこれらの各要素を制御するＣＰＵ９とを有する。ここで計数回路３ａ，３ｂ・・・に記憶される投影データは検出器リング２ａ，２ｂ・・・のものとする。
【００１３】
変換テーブル記憶部４は、計数回路３ａ，３ｂ・・・に記憶された投影データに基づいて、同時計数された一対の検出値のどちらか一方をＲ１座標、他方をＲ２座標として割り当てて加算する。Ｒ１座標（行）、Ｒ２座標（列）毎に検出値の総和値がＣＰＵ９によって読み出される。読み出された検出値の総和値（投影データ）は、投影データの画素データのビット幅を超える、所謂オーバーフローすることが多い。このオーバーフローを補正するために分周回路５を使用して、前記ビット幅に収まるように補正される。分周回路５の出力はメモリ回路６に送られ、画像処理装置７を経て、モニタ８に図２のように表示される。
【００１４】
図２のように、Ｒ１座標とＲ２座標がマトリクス状に配置され、個々のマスにはそこで得られた検出値の総和値が投影データとして、モニタ８に表示されている。操作者はモニタ８の表示を見て、特徴のある検出値の総和値である領域の投影データを選択する。また、特徴のある検出値の総和値をＣＰＵ９よって計算により求めて、領域の投影データを選択してもよい。選択された領域は、図中の太枠で囲まれた箇所である。例えば、Ｒ１，Ｒ２の左上端部の座標を（１０，１０）で、マトリクス１０×１０が特徴のある検出値の総和値の領域であったとする。上記領域で指定されたマトリクス１０×１０の投影データは、分周回路５、メモリ回路６、画像処理装置７を経て、モニタ８に図３のように表示される。ここでは、分周回路５での分周は行われず、投影データがそのままの状態で出力される。
【００１５】
図３のように、Ｒ１、Ｒ２の左上端部の座標を（１０，１０）で、マトリクス１０×１０の投影データがモニタ８に表示されている。これにより、従来のスクロール表示で困難であった関心のある領域を迅速に見つけることができる。
【００１６】
表示データは別に設ける磁気ディスクなどの外部記憶手段に、例えば症例等と投影データを対応づけてデータベースに登録する。このデータベース登録した投影データにより、過去に得た同一症例の投影データとを比較することで、画像診断を支援することができる。
【００１７】
また、上記データベースは、単一線源を使って試験用のデータを登録しておくことにより、ＰＥＴの保守、点検にも役立たせることができる。
【００１８】
以上説明した実施形態により、大量に発生する３次元計測モードでの投影データを、迅速に見つけることのでき、投影データの変動が計数値、あるいは、計数値の分布パターンを読み取ることが可能となる。
【００１９】
【発明の効果】
本発明は、関心のある投影データを迅速に見つけることのできるＰＥＴを提供するという効果を奏する。
【００２０】
【図面の簡単な説明】
【図１】  本発明のＰＥＴの実施の一形態を示すブロック図。
【図２】  投影データを表示する一例を示す図。
【図３】  図２の表示により選択された投影データを表示する一例を示す図。
【００２１】
【符号の説明】
１  被検体、２ａ，２ｂ  検出器リング、３ａ，３ｂ  計数回路、４  変換テーブル記憶部、５  分周回路、６  メモリ回路、７  画像処理装置、８  モニタ、９  ＣＰＵ
【図１】
0004408480.tif 000002
【図２】
0004408480.tif 000003
【図３】
0004408480.tif 000004